(57)【要約】      （修正有）【課題】自動露出モードを備えるカメラを光学系に装着する装着装置であって、レンズを取り外すときに使用者がカメラの自動露出モードを使用することができる装着装置を提供すること。【解決手段】アダプタ管２３は、第１端部２４と第２端部２５を有する。第１端部２４はカメラに取り付けられ、第２端部２５は光学系に取り付けられる。第１端部２４に設けられた装着エレメント２６はカメラへの機械的接続を提供する。第１端部２４に位置する複数の電気接続ピン２８はカメラに設けられた各電気コンタクトと係合する。【選択図】図２
2006201797.tif 000002
【特許請求の範囲】
【請求項１】
自動露出モードを備えるカメラを光学系に装着する装着装置であって、
カメラに取り付けられる第１端部及び光学系に取り付けられる第２端部を有するアダプタ管と、
前記第１端部に設けられると共に、カメラへの機械的接続を提供する装着エレメントと、
前記第１端部に位置すると共に、カメラに設けられた各電気コンタクトと係合する複数の電気接続ピンと、
前記電気接続ピンを介してカメラと電気的に接続する印刷回路基板と、を備え、
前記印刷回路基板は、標準の写真レンズの存在をカメラに対してシミュレーションすることを特徴とする装着装置。
【請求項２】
前記印刷回路基板は、標準の写真レンズの存在をシミュレーションするマイクロチップを具備することを特徴とする請求項１に記載の装着装置。
【請求項３】
前記印刷回路基板は、可撓性の回路基板であることを特徴とする請求項１又は２に記載の装着装置。
【請求項４】
前記光学系によって定められる光軸は、前記アダプタ管の中心を実質的に通ることを特徴とする請求項１〜３のいずれか一項に記載の装着装置。
【請求項５】
前記第１端部に設けられた前記アダプタ管の前記装着エレメントは、Ｎマウントであることを特徴とする請求項１〜４のいずれか一項に記載の装着装置。
【請求項６】
光軸を中心として対称に位置すると共に、Ｎマウントに取り囲まれる内管が配設されることを特徴とする請求項１〜５のいずれか一項に記載の装着装置。
【請求項７】
前記内管は、前記印刷回路基板、及び前記複数の電気接続ピン用のコンタクトホルダを備えることを特徴とする請求項６に記載の装着装置。
【請求項８】
前記コンタクトホルダは、湾曲した板状体であると共に、カメラの電気コンタクトの構造と同様の曲率を示すことを特徴とする請求項７に記載の装着装置。
【請求項９】
前記光学系は、外科用顕微鏡であることを特徴とする請求項１〜８のいずれか一項に記載の装着装置。
【請求項１０】
前記光学系は、通常の顕微鏡であることを特徴とする請求項１〜８のいずれか一項に記載の装着装置。
【請求項１１】
前記光学系は、立体顕微鏡であることを特徴とする請求項１〜８のいずれか一項に記載の装着装置。
【請求項１２】
前記光学系は、望遠鏡であることを特徴とする請求項１〜８のいずれか一項に記載の装着装置。
【発明の詳細な説明】
【技術分野】
【０００１】
本発明は、自動露出モードを備えるカメラを光学系に装着するための装着装置（アダプタ）に関する。
【背景技術】
【０００２】
特許文献１は、カメラを装着する内視鏡から電源が供給されるよう適合されたカメラを装着するアダプタを開示する。該アダプタは、内視鏡の接眼部とカメラの撮影用レンズの装着部との間に連結される。該アダプタはカメラに電力を供給する電力端子を有する。該アダプタは内蔵電源又は差込式電源を有することができる。
【０００３】
特許文献２は、顕微鏡の光電管にカメラを取り付けるアダプタを開示する。カメラと光電管のような管との間に該アダプタは設置される。この装着手段は、カメラの光軸と顕微鏡の光軸間のアライメントを可能にする。
【０００４】
特許文献３は、静止画像取得方法及び装置を開示する。コンピュータにおける静止画像取得部は、例えば、自己規制的な周期運動を行う心筋細胞のような生細胞の画像データにおいて明るさが周期的に変化する部分を選択し、明るさの変化をモニタし、明るさの値が特定の閾値を超えたタイミングでトリガ信号を発生する。これにより、カメラ本体は、所定の遅延時間後に生細胞の画像を繰り返し撮影し、その撮影画像を加重平均することができる。
【０００５】
【特許文献１】米国特許第４４７８２１２号公報
【特許文献２】独国実用新案第２００１０２４１号公報
【特許文献３】米国特許第６４６２７７１号公報
【発明の開示】
【発明が解決しようとする課題】
【０００６】
カメラで写真を撮るためにデジタルカメラ又は通常のカメラを光学系に取り付けることは、使用者にとって重要である。このためには、カメラのレンズは取り外されなければならず、アダプタは光学系にカメラを装着するために使用される。使用者にとっての付加的な特徴は、写真撮影にカメラの自動モードを使用することである。カメラのいかなる手動取り付けによっても使用者を困らせるべきではない。カメラを設定するために観察を中断しなければならないのであれば、使用者は非常に不便である。
【０００７】
特許文献１には、アダプタがカメラの対物レンズの存在をシミュレーションするという示唆はない。また、特許文献３には、顕微鏡から画像を撮影するために通常のカメラを使用するという示唆はない。
【０００８】
本発明の目的は、自動露出モードを備えるカメラを光学系に装着する装着装置であって、レンズを取り外すときに使用者がカメラの自動露出モードを使用することができる装着装置を提供することである。
【課題を解決するための手段】
【０００９】
本発明の目的は、自動露出モードを備えるカメラを光学系に装着する装着装置によって達成される。第１端部及び第２端部を備えるアダプタ管が設けられ、第１端部はカメラに取り付けられ、第２端部は光学系に取り付けられる。第１端部に取り付けられる装着エレメントは、カメラとの機械的連結を提供する。カメラに設けられた各電気コンタクトと係合する複数の電気接続ピンは、第１端部に位置する。印刷回路基板は、電気接続ピンによってカメラに接続される。印刷回路基板は、カメラに対して標準の写真レンズの存在をシミュレーションする。
【発明を実施するための最良の形態】
【００１０】
印刷回路基板は、標準の写真レンズの存在をシミュレーションするマイクロチップを有する。また、印刷回路基板は、可撓性の回路基板として構成される。光学系によって定められる光軸は、実質的にアダプタ管の中心を通る。第１端部に設けられたアダプタの装着部分は、Ｎマウント（Ｎ−ｍｏｕｎｔ）である。内管は光軸を中心として対称に位置し、Ｎマウントによって取り囲まれる。内管は、印刷回路基板、及び複数の電気接続ピン用のコンタクトホルダを備える。コンタクトホルダは湾曲した板状体であり、カメラの電気コンタクトの構造（ないし形状）と同様の曲率を示す。
【００１１】
カメラのレンズが取り外されると、従来のカメラは、レンズがないことを認識し、露出等のすべての自動処理が機能しなくなる。本発明は、装着装置によって、例えば外科用顕微鏡に装着されるカメラを使用する。通常のカメラレンズが取り外されてから、装着装置は、カメラの自動露出モードが装着装置と共に使用することができるように確保しなければならない。したがって、装着装置は、通常のカメラレンズがカメラに装着されているとカメラが認識するように構成されなければならない。すなわち、「シミュレーション」とは、カメラに認識させることである。
【００１２】
以上を達成するために、アダプタ又は装着装置は、カメラに設けられた各電気コンタクトと係合する第１端部に位置する複数の電気接続ピンを備える。さらに、印刷回路基板は、電気接続ピンによってカメラと電気的に接続される。印刷回路基板の目的は、標準の写真レンズの存在をカメラに知らせることである。印刷回路基板は、カメラレンズの固有のデータをカメラに送信する。
【００１３】
添付の図面を参照しながら例示をもって本発明を以下に説明すると共に、さらなる特徴、有利な形態、及び達成すべき目的を開示する。
【実施例】
【００１４】
図１は光学系４に装着されるカメラ２の概略図である。本実施形態において、光学系４は外科用顕微鏡６である。光学系が外科用顕微鏡６に限定されないことは当業者にとって明白である。光学系には、通常の顕微鏡、倒立（inverted）顕微鏡、立体顕微鏡又は望遠鏡も含まれる。
【００１５】
図１に示す実施形態においては、外科用顕微鏡６は、自由可動台（スタンド）１０に装着される少なくとも１つの立体顕微鏡８を有する。立体顕微鏡８は、観察するための、又は作業するための最適な位置に移動される。台１０は、Ｘ軸方向、Ｙ軸方向及びＺ軸方向によって定められる空間内を自由に移動することができる。立体顕微鏡８は、光学エレメントが対称に配置される光線路１２を定める。連結エレメント１６は、光線路１２における光線の一部を分離射出するために立体顕微鏡８の本体に着脱装着される。本実施形態においては、分離射出された光線は、写真撮影目的に使用される。そのため、自動露出モードを備えるカメラ２は、アダプタ２０を備える連結エレメント１６に装着される。自動露出モードを備えるカメラ２のレンズは、カメラ２をアダプタ２０で光学系４に装着するために取り外される。さらに、使用者がカメラ２の写真撮影ボタン２１を操作する必要なく写真撮影することを可能にする遠隔操作部２２が設けられる。さらに、立体顕微鏡８は、別の使用者のために１つ以上の観察位置を具備することができる。
【００１６】
図２は、光学系４にカメラ２を装着するアダプタ２０を示す。アダプタ２０は、第１端部２４及び第２端部２５を有するアダプタ管２３として構成される。第１端部２４はカメラ２に取り付けられ、第２端部２５は光学系４に取り付けられる。装着エレメント２６は、第１端部２４に設けられ、カメラ２への機械的接続を提供する。複数の電気接続ピン２８は、第１端部２４に位置し、カメラ２に設けられた対応する各電気コンタクト（図示無し）と係合する。カメラによって決定された設定は、電気コンタクトを通じて、カメラレンズに伝送される。
【００１７】
図３は、カメラ２を光学系４に取り付けるために使用されるアダプタ２０の分解図を示す。アダプタ２０は、第１端部２４及び第２端部２５を備える管状構造を有する。第１端部２４はカメラ２に取り付けられ、第２端部２５は光学系４に取り付けられる。アダプタ２０は、光学系４の光線路１２がアダプタの中心を通るように、光学系４に装着される。光学系４に装着されるアダプタ２０の第２端部２５は、形成された鳩尾状構造２７を有する。鳩尾状構造２７は光学系４の対応するエレメント（図示無し）に装着される。
【００１８】
アダプタの第１端部２４に設けられるリング−フランジ状の大径装着エレメント２６は、ねじによってアダプタ管２３に螺着される。装着エレメント２６は内管３１を備える。図２に示すように、組み立てた段階において、内管３１はアダプタ管２３に完全に取り囲まれる（すなわち、アダプタ管２３に内挿された状態になる）。印刷回路基板３０は、内管３１の外面（外周面）２９に装着される。装着エレメント２６の電気接続ピン２８は、カメラ２への電気接続を提供する。
【００１９】
印刷回路基板３０の目的は、標準の写真レンズの存在をカメラ２に対してシミュレーションすることである。印刷回路基板３０は、マイクロチップ３３を有する。印刷回路基板３０は、内管２８の湾曲形状に適合するために可撓性を有する。第１端部２４に設けられたアダプタ２０の装着部分は、Ｎマウント構造である。内管３１は印刷回路基板３０、及び複数の電気接続ピン２８用のコンタクトホルダ３５を備える。コンタクトホルダ３５は、リング状に形成され、そのリング状外周面に各電気接続ピン２８が分布して配され、カメラ２への差込装着に際し、カメラの対応各電気コンタクトに接触し、圧接保持される。
【図面の簡単な説明】
【００２０】
【図１】光学系に装着されるカメラの一実施例の概略図。光学系は外科用顕微鏡である。
【図２】アダプタの一実施例の斜視図。
【図３】カメラ本体に取り付けられるアダプタの第１端部を示すアダプタの一実施例の分解図及び光学系に取り付けられるアダプタの第２端部を示すアダプタの一実施例の分解図。
【符号の説明】
【００２１】
２         カメラ
４         光学系
６         外科用顕微鏡
８         立体顕微鏡
１０       自由可動台
１２       光線路
１６       連結エレメント
２０       アダプタ
２１       写真撮影ボタン
２２       遠隔操作部
２３       アダプタ管
２４       第１端部
２５       第２端部
２６       装着エレメント
２７       鳩尾状構造
２８       電気接続ピン
２９       外面
３０       印刷回路基板
３１       内管
３５       コンタクトホルダ
【図１】
2006201797.tif 000003
【図２】
2006201797.tif 000004
【図３】
2006201797.tif 000005